(57)【要約】【課題】既に記憶されている複数の印刷設定情報から印刷実行時に適用すべき印刷設定情報を選択する際に、基準の印刷設定情報との相違を通知する。【解決手段】画像形成装置における印刷を指示するためのプリンタドライバ機能を有するＰＣにおいて、ＨＤＤに記憶されている複数の印刷設定情報のうち、操作部を介して印刷実行時に適用すべき印刷設定情報が選択される。選択された印刷設定情報をＨＤＤから取得し、選択された印刷設定情報と基準の印刷設定情報とを設定項目毎に比較し、選択された印刷設定情報と基準の印刷設定情報との相違を示す情報を認識可能に表示部に表示する。例えば、選択された印刷設定情報及び基準の印刷設定情報のうち、選択された印刷設定情報と基準の印刷設定情報とが相違する設定項目のみについて、表示部に表示する。【選択図】図１３
2009301159.tif 000002
【特許請求の範囲】
【請求項１】
画像形成装置における印刷を指示する印刷指示装置であって、
複数の設定項目毎の印刷設定情報が複数記憶されている記憶部と、
表示部と、
前記記憶部に記憶されている複数の印刷設定情報のうち、印刷実行時に適用すべき印刷設定情報を選択するための操作部と、
前記選択された印刷設定情報を前記記憶部から取得し、前記選択された印刷設定情報と基準の印刷設定情報とを前記設定項目毎に比較し、前記選択された印刷設定情報と前記基準の印刷設定情報との相違を示す情報を認識可能に前記表示部に表示する制御部と、
を備える印刷指示装置。
【請求項２】
前記制御部は、前記選択された印刷設定情報と前記基準の印刷設定情報との相違を示す情報として、前記選択された印刷設定情報及び前記基準の印刷設定情報のうち、前記選択された印刷設定情報と前記基準の印刷設定情報とが相違する設定項目のみについて、前記表示部に表示する、
請求項１に記載の印刷指示装置。
【請求項３】
前記制御部は、前記選択された印刷設定情報と前記基準の印刷設定情報との相違を示す情報として、前記選択された印刷設定情報と前記基準の印刷設定情報とが相違する設定項目を強調して、前記選択された印刷設定情報を前記表示部に表示する、
請求項１に記載の印刷指示装置。
【請求項４】
前記基準の印刷設定情報は、ユーザにより選択されたものである、
請求項１から３のいずれか一項に記載の印刷指示装置。
【請求項５】
前記基準の印刷設定情報は、予め定められている標準的な印刷設定情報である、
請求項１から３のいずれか一項に記載の印刷指示装置。
【請求項６】
前記基準の印刷設定情報は、現在設定されている印刷設定情報である、
請求項１から３のいずれか一項に記載の印刷指示装置。
【請求項７】
前記操作部は、さらに、前記選択された印刷設定情報を印刷実行時に適用するか否かを選択するためのものであり、
前記制御部は、前記選択された印刷設定情報と前記基準の印刷設定情報との相違を示す情報を認識可能に前記表示部に表示した後に、前記操作部からの操作に基づいて前記選択された印刷設定情報を印刷実行時に適用するか否かを判断する、
請求項１から６のいずれか一項に記載の印刷指示装置。
【請求項８】
前記制御部は、前記選択された印刷設定情報と前記基準の印刷設定情報とが相違する設定項目について、当該設定項目のヘルプ情報を前記表示部に表示する、
請求項１から７のいずれか一項に記載の印刷指示装置。
【請求項９】
画像形成装置における印刷を指示する印刷指示方法であって、
複数の設定項目毎の印刷設定情報が複数記憶されている記憶部から、操作部からの操作によって選択された、印刷実行時に適用すべき印刷設定情報を取得するステップと、
前記選択された印刷設定情報と基準の印刷設定情報とを前記設定項目毎に比較するステップと、
前記選択された印刷設定情報と前記基準の印刷設定情報との相違を示す情報を認識可能に表示部に表示するステップと、
を含む印刷指示方法。
【請求項１０】
画像形成装置における印刷を指示するコンピュータに、
複数の設定項目毎の印刷設定情報が複数記憶されている記憶部から、操作部からの操作によって選択された、印刷実行時に適用すべき印刷設定情報を取得する機能と、
前記選択された印刷設定情報と基準の印刷設定情報とを前記設定項目毎に比較する機能と、
前記選択された印刷設定情報と前記基準の印刷設定情報との相違を示す情報を認識可能に表示部に表示する機能と、
を実現させるためのプログラム。
【発明の詳細な説明】
【技術分野】
【０００１】
本発明は、印刷指示装置、印刷指示方法及びプログラムに関する。
【背景技術】
【０００２】
近年、プリンタドライバがインストールされているＰＣ（Personal Computer）等から、通信ネットワークを介して接続されたプリンタ等の画像形成装置を制御するシステムが普及している。例えば、ユーザは、プリンタドライバ上で、用紙サイズ、用紙種類、部数等の設定項目毎に印刷条件を設定することができる。このような印刷条件を示す印刷設定情報を保存しておくことにより、一度設定した印刷条件と同一の条件を再度適用して画像形成を行うことが可能となる。
【０００３】
プリンタドライバ上でユーザが設定した印刷設定内容を確認したい場合には、印刷設定画面において、各設定項目について、いずれの条件が設定されているかを確認することになるが、どの条件が変更されているかを認識することは困難である。そこで、プリンタの印刷条件を示す印刷設定項目の初期内容と、現在設定されている内容とを比較して、初期設定から変更された設定項目について設定項目及び変更された設定内容を表示するプリンタドライバが提案されている（特許文献１参照）。
【特許文献１】特開２００３−２１６３６２号公報
【発明の開示】
【発明が解決しようとする課題】
【０００４】
しかし、既に保存されている印刷設定情報を使用する場合に、ユーザが選択した印刷設定情報と、デフォルト設定又は現在の設定等の基準となる印刷設定情報との間で、どの設定項目について違いが存在するのかを確認することは困難であった。また、印刷設定情報を保存してから長時間が経過している場合や、別のユーザが保存した印刷設定情報を使用する場合には、ユーザが全ての設定項目を把握していない場合もあった。このような場合には、保存されている印刷設定情報を適用した場合にどの項目が変更されるのかが分かりづらく、ユーザの意図しない設定変更が行われるおそれがあった。
【０００５】
本発明は上記の従来技術における問題に鑑みてなされたものであって、既に記憶されている複数の印刷設定情報から印刷実行時に適用すべき印刷設定情報を選択する際に、基準の印刷設定情報との相違を通知することを課題とする。
【課題を解決するための手段】
【０００６】
上記課題を解決するために、請求項１に記載の発明は、画像形成装置における印刷を指示する印刷指示装置であって、複数の設定項目毎の印刷設定情報が複数記憶されている記憶部と、表示部と、前記記憶部に記憶されている複数の印刷設定情報のうち、印刷実行時に適用すべき印刷設定情報を選択するための操作部と、前記選択された印刷設定情報を前記記憶部から取得し、前記選択された印刷設定情報と基準の印刷設定情報とを前記設定項目毎に比較し、前記選択された印刷設定情報と前記基準の印刷設定情報との相違を示す情報を認識可能に前記表示部に表示する制御部と、を備える。
【０００７】
請求項２に記載の発明は、請求項１に記載の印刷指示装置において、前記制御部は、前記選択された印刷設定情報と前記基準の印刷設定情報との相違を示す情報として、前記選択された印刷設定情報及び前記基準の印刷設定情報のうち、前記選択された印刷設定情報と前記基準の印刷設定情報とが相違する設定項目のみについて、前記表示部に表示する。
【０００８】
請求項３に記載の発明は、請求項１に記載の印刷指示装置において、前記制御部は、前記選択された印刷設定情報と前記基準の印刷設定情報との相違を示す情報として、前記選択された印刷設定情報と前記基準の印刷設定情報とが相違する設定項目を強調して、前記選択された印刷設定情報を前記表示部に表示する。
【０００９】
請求項４に記載の発明は、請求項１から３のいずれか一項に記載の印刷指示装置において、前記基準の印刷設定情報は、ユーザにより選択されたものである。
【００１０】
請求項５に記載の発明は、請求項１から３のいずれか一項に記載の印刷指示装置において、前記基準の印刷設定情報は、予め定められている標準的な印刷設定情報である。
【００１１】
請求項６に記載の発明は、請求項１から３のいずれか一項に記載の印刷指示装置において、前記基準の印刷設定情報は、現在設定されている印刷設定情報である。
【００１２】
請求項７に記載の発明は、請求項１から６のいずれか一項に記載の印刷指示装置において、前記操作部は、さらに、前記選択された印刷設定情報を印刷実行時に適用するか否かを選択するためのものであり、前記制御部は、前記選択された印刷設定情報と前記基準の印刷設定情報との相違を示す情報を認識可能に前記表示部に表示した後に、前記操作部からの操作に基づいて前記選択された印刷設定情報を印刷実行時に適用するか否かを判断する。
【００１３】
請求項８に記載の発明は、請求項１から７のいずれか一項に記載の印刷指示装置において、前記制御部は、前記選択された印刷設定情報と前記基準の印刷設定情報とが相違する設定項目について、当該設定項目のヘルプ情報を前記表示部に表示する。
【００１４】
請求項９に記載の発明は、画像形成装置における印刷を指示する印刷指示方法であって、複数の設定項目毎の印刷設定情報が複数記憶されている記憶部から、操作部からの操作によって選択された、印刷実行時に適用すべき印刷設定情報を取得するステップと、前記選択された印刷設定情報と基準の印刷設定情報とを前記設定項目毎に比較するステップと、前記選択された印刷設定情報と前記基準の印刷設定情報との相違を示す情報を認識可能に表示部に表示するステップと、を含む。
【００１５】
請求項１０に記載の発明は、画像形成装置における印刷を指示するコンピュータに、複数の設定項目毎の印刷設定情報が複数記憶されている記憶部から、操作部からの操作によって選択された、印刷実行時に適用すべき印刷設定情報を取得する機能と、前記選択された印刷設定情報と基準の印刷設定情報とを前記設定項目毎に比較する機能と、前記選択された印刷設定情報と前記基準の印刷設定情報との相違を示す情報を認識可能に表示部に表示する機能と、を実現させるためのプログラムである。
【発明の効果】
【００１６】
請求項１、９、１０に記載の発明によれば、既に記憶されている複数の印刷設定情報から印刷実行時に適用すべき印刷設定情報を選択する際に、基準の印刷設定情報との相違を通知することができる。
【００１７】
請求項２に記載の発明によれば、選択された印刷設定情報及び基準の印刷設定情報のうち、選択された印刷設定情報と基準の印刷設定情報とが相違する設定項目のみについて表示するので、選択された印刷設定情報と基準の印刷設定情報との相違を認識しやすくなる。
【００１８】
請求項３に記載の発明によれば、選択された印刷設定情報と基準の印刷設定情報とが相違する設定項目を強調して、選択された印刷設定情報を表示するので、選択された印刷設定情報と基準の印刷設定情報との相違を認識しやすくなる。
【００１９】
請求項４に記載の発明によれば、ユーザが選択した基準の印刷設定情報との相違を通知することができる。
【００２０】
請求項５に記載の発明によれば、標準的な印刷設定情報との相違を通知することができる。
【００２１】
請求項６に記載の発明によれば、現在設定されている印刷設定情報との相違を通知することができる。
【００２２】
請求項７に記載の発明によれば、選択された印刷設定情報と基準の印刷設定情報との相違をユーザが認識した後に、選択された印刷設定情報を印刷実行時に適用するか否かを選択することができる。
【００２３】
請求項８に記載の発明によれば、設定項目のヘルプ情報を表示することにより、どのような内容が変更されるかを通知することができる。
【発明を実施するための最良の形態】
【００２４】
［第１の実施の形態］
まず、図１〜図１３を参照して、本発明の第１の実施の形態について説明する。
図１に、画像形成システム１００のシステム構成を示す。図１に示すように、画像形成システム１００は、印刷指示装置としてのＰＣ１０と、画像形成装置２０とから構成されており、各装置は、通信ネットワークＮを介してデータ通信可能に接続されている。
【００２５】
ＰＣ１０は、画像形成装置２０における印刷を指示するものである。ＰＣ１０には、プリンタドライバプログラムがインストールされており、このプリンタドライバの機能を用いて、印刷実行時に適用される印刷条件を示す印刷設定情報や画像データ等を含むプリントジョブを生成し、画像形成装置２０に送信する。
【００２６】
画像形成装置２０は、コピー機能、画像読取機能、プリンタ機能を備えた、所謂ＭＦＰ（Multi-Function Peripheral）であり、ＰＣ１０から送信されるプリントジョブや、画像形成装置２０に備えられているスキャナ等の画像読取部２４（図８参照）により読み取った画像データ等に基づき、用紙に画像を形成する。
【００２７】
図２に、ＰＣ１０の機能的構成を示す。図２に示すように、ＰＣ１０は、制御部１１、操作部１２、表示部１３、通信部１４、ＲＯＭ（Read Only Memory）１５、ＲＡＭ（Random Access Memory）１６、ＨＤＤ（Hard Disk Drive）１７を備え、各部はバス１８により接続されて構成されている。
【００２８】
制御部１１は、ＣＰＵ（Central Processing Unit）等から構成され、ＰＣ１０の各部の処理動作を統括的に制御する。具体的には、ＣＰＵは、操作部１２から入力される操作信号又は通信部１４により受信した指示信号に応じて、ＲＯＭ１５又はＨＤＤ１７に格納されている各種処理プログラムを読み出してＲＡＭ１６に展開し、当該プログラムとの協働により各種処理を行う。
【００２９】
操作部１２は、カーソルキー、文字入力キー、及び各種機能キー等を備えたキーボードと、マウス等のポインティングデバイスを備えて構成され、キーボードに対するキー操作やマウス操作により入力された指示信号を制御部１１に出力する。例えば、操作部１２は、ＨＤＤ１７に記憶されている複数の印刷設定情報のうち、印刷実行時に適用すべき印刷設定情報を選択する際に用いられる。
【００３０】
表示部１３は、ＬＣＤ（Liquid Crystal Display）により構成され、制御部１１から入力される表示信号の指示に従って、各種表示画面等を表示する。
【００３１】
通信部１４は、通信ネットワークＮを介して接続された画像形成装置２０等の外部機器との間でデータの送受信を行うための機能部である。
【００３２】
ＲＯＭ１５は、不揮発性の半導体メモリ等により構成され、制御部１１で実行される各種処理プログラム、各種データ等を記憶する。これらの各種プログラムは、読み取り可能なプログラムコードの形態で格納され、制御部１１は、当該プログラムコードに従った動作を逐次実行する。
【００３３】
ＲＡＭ１６は、制御部１１により実行される各種処理プログラム及びこれらプログラムに係るデータを一時的に記憶するワークエリアを形成する。
【００３４】
ＨＤＤ１７は、プリンタドライバプログラム等の各種プログラム、設定データ、画像データ等を記憶する記憶装置である。また、ＨＤＤ１７には、複数の設定項目（原稿の向き、原稿サイズ、用紙サイズ、ズーム、給紙トレイ、用紙種類、部数等）毎の印刷設定情報が「お気に入り設定」として複数記憶されている。「お気に入り設定」とは、ユーザが後に利用することを目的として保存されている印刷設定情報をいう。
【００３５】
図３に、お気に入り設定の名称が保存されているＨＤＤ１７内のレジストリの例を示す。図３に示す例では、レジストリ領域１７１に、お気に入り設定の名称として、「標準設定」、「２in１」、「コピープロテクト」、「写真」、「グレースケール」、「ユーザ設定01」が記憶されている。「標準設定」とは、印刷条件のデフォルト値として予め定められている標準的な印刷設定情報をいう。
【００３６】
図４に、お気に入り設定の印刷設定情報が保存されているＨＤＤ１７内のレジストリの例を示す。レジストリ領域１７２等には、それぞれのお気に入り設定に対応する印刷設定情報が記憶されている。
【００３７】
制御部１１は、ＨＤＤ１７からプリンタドライバプログラムを読み出してＲＡＭ１６に展開し、当該プログラムとの協働により画像形成装置２０に送信するプリントジョブを生成し、画像形成装置２０における印刷を指示する。
【００３８】
制御部１１は、操作部１２を介して選択された、印刷実行時に適用すべき印刷設定情報をＨＤＤ１７から取得する。具体的には、制御部１１は、図４に示すレジストリ領域１７２等から、選択された印刷設定情報を読み出し、読み出したデータを図５に示す構造体にセットし、図６に示すように、各設定項目についてデータを抽出する。「nOrientation」は「原稿の向き」、「nPaperSize」は「原稿サイズ」、「nOutPaperSize」は「用紙サイズ」、「bScaleAuto」は「ズーム自動設定」、「nScale」は「倍率」、「nCopies」は「部数」を表している。
【００３９】
制御部１１は、選択された印刷設定情報（以下、選択されたお気に入り設定ともいう。）と基準の印刷設定情報（以下、基準設定ともいう。）とを設定項目毎に比較する。具体的には、制御部１１は、図７に示すように、選択されたお気に入り設定と基準設定とについて、印刷設定情報を設定項目毎に比較して、両者が一致するか相違するかを判断する。基準設定は、予め複数用意されている印刷設定情報の中からユーザにより選択可能となっており、基準設定として、現在設定されている印刷設定情報を選択することも可能である。
【００４０】
制御部１１は、選択されたお気に入り設定と基準設定との相違を示す情報を認識可能に表示部１３に表示する。具体的には、制御部１１は、選択されたお気に入り設定と基準設定との相違を示す情報として、選択されたお気に入り設定及び基準設定のうち、選択されたお気に入り設定と基準設定とが相違する設定項目のみについて、表示部１３に表示する。
【００４１】
制御部１１は、選択されたお気に入り設定と基準設定との相違を示す情報を認識可能に表示部１３に表示した後に、操作部１２からの操作に基づいて、選択されたお気に入り設定を印刷実行時に適用するか否かを判断する。
【００４２】
図８に、画像形成装置２０の機能的構成を示す。図８に示すように、画像形成装置２０は、制御部２１、操作部２２、表示部２３、画像読取部２４、通信部２５、ＲＯＭ２６、ＲＡＭ２７、画像形成部２８、記憶部２９を備え、各部はバス３０により接続されて構成されている。
【００４３】
制御部２１は、ＣＰＵ等から構成され、画像形成装置２０の各部の処理動作を統括的に制御する。具体的には、ＣＰＵは、操作部２２から入力される操作信号又は通信部２５により受信した指示信号に応じて、ＲＯＭ２６に格納されている各種処理プログラムを読み出してＲＡＭ２７に展開し、当該プログラムとの協働により各種処理を行う。
【００４４】
操作部２２は、数字キーやスタートキー、リセットキー等の各種キーを有し、押下されたキーの押下信号を制御部２１に出力する。また、操作部２２は、表示部２３と一体的に形成されたタッチパネルを備えており、ユーザの指先やタッチペン等により当接されたタッチパネル上の位置を検出して、位置信号を制御部２１に出力する。
【００４５】
表示部２３は、ＬＣＤ等により構成され、制御部２１から入力される表示信号の指示に従って、操作部２２からの入力指示やデータ等を表示する。
【００４６】
画像読取部２４は、原稿画像を読み取って画像データを生成する所謂スキャナであり、原稿を載置するプラテンガラス、プラテンガラス上の原稿画像を走査し、これをＣＣＤ（Charge Coupled Device）イメージセンサ上に結像する走査光学系を備えている。画像読取部２４は、ＣＣＤイメージセンサで読み取った原稿画像に基づいて生成された画像信号をＡ／Ｄ変換して画像データを生成する。
【００４７】
通信部２５は、通信ネットワークＮを介して接続されたＰＣ１０等の外部機器との間でデータの送受信を行うための機能部である。
【００４８】
ＲＯＭ２６は、不揮発性の半導体メモリ等により構成され、制御部２１で実行される各種処理プログラム、各種データ等を記憶する。これらの各種プログラムは、読み取り可能なプログラムコードの形態で格納され、制御部２１は、当該プログラムコードに従った動作を逐次実行する。
【００４９】
ＲＡＭ２７は、制御部２１により実行される各種処理プログラム及びこれらプログラムに係るデータを一時的に記憶するワークエリアを形成する。
【００５０】
画像形成部２８は、電子写真方式、静電記録方式、熱転写方式等の作像プロセスを利用して画像を形成するために必要な構成要素を含む機能部である。例えば、画像形成部２８は、感光体、転写ベルト、定着器、各種搬送ベルト等を備える。画像形成部２８は、制御部２１の指示に従い、画像読取部２４により生成された画像データ又は通信部２５により受信された画像データに基づいて、用紙に画像を形成する。
【００５１】
記憶部２９は、ハードディスク等の記憶装置であり、画像読取部２４により読み取られた画像データ、通信部２５によりＰＣ１０から受信されたプリントジョブのデータ等を記憶する。
【００５２】
次に、動作について説明する。
図９及び図１０は、ＰＣ１０において実行される第１の印刷設定処理を示すフローチャートである。この処理は、制御部１１のＣＰＵとＨＤＤ１７に記憶されているプリンタドライバプログラムとの協働によるソフトウェア処理によって実現される。
【００５３】
図１１に、ＰＣ１０の表示部１３に表示される印刷設定画面１３１の例を示す。印刷設定画面１３１は、原稿の向き、原稿サイズ、用紙サイズ、ズーム自動設定、倍率、給紙トレイ、用紙種類、出力方法、部数等の設定項目毎に、画像形成装置２０における印刷条件を設定する際に表示部１３に表示されるものである。印刷設定画面１３１において、操作部１２のマウスからの操作により、編集ボタン４１がクリックされると、図１２に示すお気に入り設定の編集画面１３２が表示部１３に表示される。
【００５４】
図１２に示すように、お気に入り設定の編集画面１３２は、「お気に入り設定一覧」４３、基準設定選択領域４４、設定内容表示領域４５、ＯＫボタン４６等を有する。「お気に入り設定一覧」４３は、ＨＤＤ１７に「お気に入り設定」として記憶されている印刷設定情報の名称が表示され、印刷実行時に適用すべきお気に入り設定を選択するための領域である。基準設定選択領域４４は、基準設定として選択可能な印刷設定情報の名称が表示され、基準設定を選択するための領域である。設定内容表示領域４５は、ＨＤＤ１７に記憶されている印刷設定情報のうち、「お気に入り設定一覧」４３において選択されている印刷設定情報の内容が表示される領域である。
【００５５】
図９に示すステップＳ１〜ステップＳ５は、図１２に示すお気に入り設定の編集画面１３２を表示するための処理である。まず、図９に示すように、制御部１１により、お気に入り設定のリストがＨＤＤ１７の該当するレジストリ（図３参照）から取得される（ステップＳ１）。
【００５６】
次に、制御部１１により、取得されたお気に入り設定のリストが、お気に入り設定の編集画面１３２上の「お気に入り設定一覧」４３に表示される（ステップＳ２）。図１２に示す例では、「お気に入り設定一覧」４３に、お気に入り設定の名称として、「標準設定」、「２in１」、「コピープロテクト」、「写真」、「グレースケール」、「ユーザ設定01」が表示されている。ユーザは、操作部１２からの操作により、「お気に入り設定一覧」４３からいずれか一の設定を選択する。
【００５７】
次に、制御部１１により、「お気に入り設定一覧」４３において選択されている印刷設定情報がＨＤＤ１７の該当するレジストリ（図４参照）から取得される（ステップＳ３）。
【００５８】
次に、制御部１１により、「お気に入り設定一覧」４３において選択されている印刷設定情報の内容が、お気に入り設定の編集画面１３２上の設定内容表示領域４５に表示される（ステップＳ４）。図１２に示す例では、設定内容表示領域４５は、基本設定、レイアウト、仕上げ、カバーシート／挿入紙、スタンプ／ページ印字、画像品質、その他のタブに分かれて構成されており、各タブ内において、複数の設定項目（原稿の向き、原稿サイズ、用紙サイズ、ズーム、給紙トレイ、用紙種類等）毎に設定値が表示されている。
【００５９】
次に、制御部１１により、選択可能な基準設定の名称が、お気に入り設定の編集画面１３２上の基準設定選択領域４４に表示される（ステップＳ５）。図１２に示す例では、基準設定選択領域４４に、「コピープロテクト」、「２in１」、「現在の設定」、「標準設定」が表示されている。基準設定として選択可能な印刷設定情報のうち、「コピープロテクト」、「２in１」、「標準設定」については、お気に入り設定と共通のデータであり、ＨＤＤ１７に記憶されている。「現在の設定」は、プリンタドライバ上で現在設定されている印刷設定情報であって、ＲＡＭ１６に記憶されている。ユーザは、操作部１２からの操作により、基準設定選択領域４４からいずれか一の設定を選択する。
【００６０】
次に、表示部１３に表示されているお気に入り設定の編集画面１３２において、操作部１２のマウスからの操作により、ＯＫボタン４６がクリックされた場合には（ステップＳ６；ＹＥＳ）、制御部１１により、図１３に示す相違点表示画面１３３が表示部１３に表示される。図１３に示すように、相違点表示画面１３３は、基準設定表示領域４７、選択されたお気に入り設定表示領域４８、ＯＫボタン４９、キャンセルボタン５０を有する。基準設定表示領域４７は、基準設定のうち、基準設定と選択されたお気に入り設定とが相違する設定項目のみが表示される領域である。選択されたお気に入り設定表示領域４８は、選択されたお気に入り設定のうち、基準設定と選択されたお気に入り設定とが相違する設定項目のみが表示される領域である。
【００６１】
図１０に示すステップＳ７〜ステップＳ１４は、図１３に示す相違点表示画面１３３を表示するための処理である。図１０に示すように、制御部１１により、図１２に示す「お気に入り設定一覧」４３において選択されている印刷設定情報（選択されたお気に入り設定）がＨＤＤ１７の該当するレジストリ（図４参照）から取得される（ステップＳ７）。
【００６２】
次に、制御部１１により、図１２に示す基準設定選択領域４４において選択されている印刷設定情報（基準設定）がＨＤＤ１７の該当するレジストリ（図４参照）又はＲＡＭ１６から取得される（ステップＳ８）。具体的には、制御部１１により、基準設定選択領域４４において「現在の設定」以外の設定が選択されている場合には、ＨＤＤ１７の該当するレジストリから印刷設定情報が取得され、基準設定選択領域４４において「現在の設定」が選択されている場合には、ＲＡＭ１６から現在設定されている印刷設定情報が取得される。
【００６３】
次に、制御部１１により、一つ目の設定項目について、選択されたお気に入り設定と基準設定とが比較される（ステップＳ９）。比較対象となっている設定項目について、選択されたお気に入り設定と基準設定とが一致しない場合には（ステップＳ１０；ＮＯ）、制御部１１により、この設定項目、及び、選択されたお気に入り設定と基準設定の設定内容がＲＡＭ１６上に保持される（ステップＳ１１）。
【００６４】
ステップＳ１１の後、又は、ステップＳ１０において比較対象となっている設定項目について、選択されたお気に入り設定と基準設定とが一致する場合には（ステップＳ１０；ＹＥＳ）、制御部１１により、全項目について、選択されたお気に入り設定と基準設定との比較が終了したか否かが判断される（ステップＳ１２）。
【００６５】
選択されたお気に入り設定と基準設定との比較が全項目について終了していない場合には（ステップＳ１２；ＮＯ）、次の設定項目について、選択されたお気に入り設定と基準設定とが比較され（ステップＳ１３）、ステップＳ１０〜ステップＳ１２の処理が繰り返される。
【００６６】
ステップＳ１２において、選択されたお気に入り設定と基準設定との比較が全項目について終了した場合には（ステップＳ１２；ＹＥＳ）、図１３に示すように、制御部１１により、ＲＡＭ１６上に保持されている選択されたお気に入り設定と基準設定との相違点を示す相違点表示画面１３３が表示部１３に表示される（ステップＳ１４）。制御部１１により、基準設定表示領域４７には、基準設定のうち、基準設定と選択されたお気に入り設定とが相違する設定項目のみが表示され、選択されたお気に入り設定表示領域４８には、選択されたお気に入り設定のうち、基準設定と選択されたお気に入り設定とが相違する設定項目のみが表示される。
【００６７】
図１３に示す相違点表示画面１３３の例では、基準設定と選択されたお気に入り設定とが相違する設定項目は「原稿の向き」、「原稿サイズ」、「ページ割付」であり、各設定項目について、基準設定ではそれぞれ、「縦」、「Ａ４」、「ＯＦＦ」と設定されているのに対し、選択されたお気に入り設定ではそれぞれ、「横」、「Ａ３」、「２in１」と設定されている。
【００６８】
次に、制御部１１により、ユーザの操作部１２からの操作により、相違点表示画面１３３において、ＯＫボタン４９がクリックされたか、又は、キャンセルボタン５０がクリックされたかが判断される（ステップＳ１５）。相違点表示画面１３３において、ＯＫボタン４９がクリックされた場合には（ステップＳ１５；ＯＫ）、制御部１１により、選択されたお気に入り設定が、ＲＡＭ１６上に現在の設定として設定される（ステップＳ１６）。すなわち、選択されたお気に入り設定が印刷実行時に適用されることになる。
【００６９】
一方、相違点表示画面１３３において、キャンセルボタン５０がクリックされた場合には（ステップＳ１５；キャンセル）、選択されたお気に入り設定は適用されずに、そのまま処理が終了する。
【００７０】
以上説明したように、第１の実施の形態におけるＰＣ１０によれば、操作部１２を介して選択された、印刷実行時に適用すべき印刷設定情報をＨＤＤ１７から取得し、選択されたお気に入り設定と基準設定とを設定項目毎に比較し、選択されたお気に入り設定と基準設定との相違を示す情報を認識可能に表示部１３に表示するので、ＨＤＤ１７に既に記憶されている複数の印刷設定情報から印刷実行時に適用すべき印刷設定情報を選択する際に、基準設定との相違を通知することができる。したがって、ユーザが意図しない設定の変更を防ぐことができる。
【００７１】
また、選択されたお気に入り設定と基準設定との相違を示す情報として、選択されたお気に入り設定及び基準設定のうち、選択されたお気に入り設定と基準設定とが相違する設定項目のみについて、表示部１３に表示するので、ユーザは、選択されたお気に入り設定と基準設定との相違を認識しやすくなる。
【００７２】
また、基準設定についてもユーザが選択可能であるので、選択されたお気に入り設定と、ユーザが任意に選択した基準設定との相違を通知することができる。また、基準設定として、標準設定や現在の設定を選択することにより、標準設定や現在の設定との相違を通知することができる。
【００７３】
また、選択されたお気に入り設定と基準設定との相違をユーザが認識した後に、選択されたお気に入り設定を印刷実行時に適用するか否かを選択することができる。
【００７４】
［変形例１］
次に、第１の実施の形態の変形例１について説明する。
変形例１における画像形成システムは、第１の実施の形態に示した画像形成システム１００と同様の構成によってなるため、同一の構成部分については同一の符号を付し、その構成については図示及び説明を省略する。以下、変形例１に特徴的な構成及び処理について説明する。
【００７５】
第１の実施の形態では、図１１に示す印刷設定画面１３１において、編集ボタン４１がクリックされた場合に、第１の印刷設定処理が実行されることとしたが、変形例１では、印刷設定画面１３１のお気に入り選択領域４２において、操作部１２のマウスからの操作により、いずれかのお気に入り設定が選択された場合に、図１３に示す相違点表示画面１３３が表示される。お気に入り選択領域４２は、ＨＤＤ１７に「お気に入り設定」として記憶されている印刷設定情報のうち、いずれかの印刷設定情報をプルダウンメニューから選択するための領域である。
【００７６】
図１４は、ＰＣ１０において実行される変形例１における印刷設定処理を示すフローチャートである。この処理は、制御部１１のＣＰＵとＨＤＤ１７に記憶されているプリンタドライバプログラムとの協働によるソフトウェア処理によって実現される。
【００７７】
図１４に示すように、制御部１１により、図１１に示す印刷設定画面１３１のお気に入り選択領域４２において選択された印刷設定情報（選択されたお気に入り設定）がＨＤＤ１７の該当するレジストリ（図４参照）から取得される（ステップＳ２１）。
【００７８】
次に、制御部１１により、基準設定の印刷設定情報がＨＤＤ１７の該当するレジストリ（図４参照）又はＲＡＭ１６から取得される（ステップＳ２２）。具体的には、制御部１１により、基準設定が「現在の設定」以外の設定である場合には、ＨＤＤ１７の該当するレジストリから印刷設定情報が取得され、基準設定が「現在の設定」である場合には、ＲＡＭ１６から現在設定されている印刷設定情報が取得される。
【００７９】
次に、制御部１１により、一つ目の設定項目について、選択されたお気に入り設定と基準設定とが比較される（ステップＳ２３）。以下、ステップＳ２４〜ステップＳ３０の処理は、図１０に示したステップＳ１０〜ステップＳ１６の処理と同様であるため、説明を省略する。
【００８０】
変形例１では、図１１に示す印刷設定画面１３１のお気に入り選択領域４２においてお気に入り設定を選択したことに応じて、選択されたお気に入り設定と基準設定との相違点を示す相違点表示画面１３３（図１３参照）を表示することができる。
【００８１】
［変形例２］
次に、第１の実施の形態の変形例２について説明する。
変形例２における画像形成システムは、第１の実施の形態に示した画像形成システム１００と同様の構成によってなるため、同一の構成部分については同一の符号を付し、その構成については図示及び説明を省略する。以下、変形例２に特徴的な構成及び処理について説明する。
【００８２】
変形例２では、ＰＣ１０のＨＤＤ１７に、各設定項目のヘルプ情報が記憶されている。制御部１１は、選択されたお気に入り設定と基準設定とが相違する設定項目を表示部１３に表示する際に、各設定項目にヘルプ情報へのリンクを設け、ユーザによる操作部１２からの操作に基づいて、該当する設定項目のヘルプ情報をＨＤＤ１７から読み出し、表示部１３に表示する。
【００８３】
図１５（ａ）に、選択されたお気に入り設定と基準設定との相違点を示す相違点表示画面１３４の例を示す。相違点表示画面１３４を表示するまでの処理は、第１の実施の形態において相違点表示画面１３３（図１３参照）を表示するまでの処理（図１０に示すステップＳ７〜ステップＳ１４）と同様である。相違点表示画面１３４において、各設定項目５１，５２，５３，５４，５５，５６には、ヘルプ情報を表示するためのリンクが設けられている。
【００８４】
図１６は、ＰＣ１０において実行される変形例２におけるヘルプ表示処理を示すフローチャートである。この処理は、制御部１１のＣＰＵとＨＤＤ１７に記憶されているプリンタドライバプログラムとの協働によるソフトウェア処理によって実現される。
【００８５】
図１６に示すように、制御部１１により、図１５（ａ）に示す相違点表示画面１３４において、ユーザの操作部１２からの操作により、いずれかの設定項目５１，５２，５３，５４，５５，５６がクリックされた場合には（ステップＳ３１；ＹＥＳ）、制御部１１により、該当する設定項目のヘルプ情報がＨＤＤ１７から取得され、取得されたヘルプ情報が表示部１３にポップアップ表示される（ステップＳ３２）。
【００８６】
図１５（ｂ）に、相違点表示画面１３４において設定項目５１又は設定項目５４がクリックされた場合に表示されるヘルプ画面１３５の例を示す。ヘルプ画面１３５には、「原稿の向き」についてのヘルプ情報が表示されている。
【００８７】
変形例２では、設定項目のヘルプ情報を表示することにより、どのような内容が変更されるかを通知することができる。
【００８８】
［第２の実施の形態］
次に、本発明の第２の実施の形態について説明する。
第２の実施の形態における画像形成システムは、第１の実施の形態に示した画像形成システム１００と同様の構成によってなるため、同一の構成部分については同一の符号を付し、その構成については図示及び説明を省略する。以下、第２の実施の形態に特徴的な構成及び処理について説明する。
【００８９】
第２の実施の形態では、図１１に示す印刷設定画面１３１において、操作部１２のマウスからの操作により、編集ボタン４１がクリックされると、図１７に示すお気に入り設定の編集画面１３６が表示部１３に表示される。図１７に示すように、お気に入り設定の編集画面１３６は、「お気に入り設定一覧」６１、基準設定選択領域６２、設定内容表示領域６３、相違点表示領域６４、ＯＫボタン６５、キャンセルボタン６６等を有する。「お気に入り設定一覧」６１は、ＨＤＤ１７に「お気に入り設定」として記憶されている印刷設定情報の名称が表示され、印刷実行時に適用すべきお気に入り設定を選択するための領域である。基準設定選択領域６２は、基準設定として選択可能な印刷設定情報の名称が表示され、基準設定を選択するための領域である。設定内容表示領域６３は、ＨＤＤ１７に記憶されている印刷設定情報のうち、「お気に入り設定一覧」６１において選択されている印刷設定情報の内容が表示される領域である。相違点表示領域６４は、選択されたお気に入り設定と基準設定との相違点が表示される領域である。
【００９０】
第１の実施の形態では、図１２に示すお気に入り設定の編集画面１３２とは別に、図１３に示す相違点表示画面１３３が表示されたが、第２の実施の形態では、お気に入り設定の編集画面１３６の相違点表示領域６４に選択されたお気に入り設定と基準設定との相違点が表示される。
【００９１】
図１８は、ＰＣ１０において実行される第２の印刷設定処理を示すフローチャートである。この処理は、図１７に示すお気に入り設定の編集画面１３６の「お気に入り設定一覧」６１においてお気に入り設定を変更した場合、又は、基準設定選択領域６２において基準設定を選択し直した場合に実行される処理であって、制御部１１のＣＰＵとＨＤＤ１７に記憶されているプリンタドライバプログラムとの協働によるソフトウェア処理によって実現される。
【００９２】
まず、図１８に示すように、制御部１１により、図１７に示す「お気に入り設定一覧」６１において選択されている印刷設定情報（選択されたお気に入り設定）がＨＤＤ１７の該当するレジストリ（図４参照）から取得される（ステップＳ４１）。
【００９３】
次に、制御部１１により、図１７に示す基準設定選択領域６２において選択されている印刷設定情報（基準設定）がＨＤＤ１７の該当するレジストリ（図４参照）又はＲＡＭ１６から取得される（ステップＳ４２）。具体的には、制御部１１により、基準設定選択領域６２において「現在の設定」以外の設定が選択されている場合には、ＨＤＤ１７の該当するレジストリから印刷設定情報が取得され、基準設定選択領域６２において「現在の設定」が選択されている場合には、ＲＡＭ１６から現在設定されている印刷設定情報が取得される。
【００９４】
次に、制御部１１により、図１７に示す「お気に入り設定一覧」６１において選択されている印刷設定情報の内容が、お気に入り設定の編集画面１３６上の設定内容表示領域６３に表示される（ステップＳ４３）。
【００９５】
次に、制御部１１により、一つ目の設定項目について、選択されたお気に入り設定と基準設定とが比較される（ステップＳ４４）。比較対象となっている設定項目について、選択されたお気に入り設定と基準設定とが一致しない場合には（ステップＳ４５；ＮＯ）、制御部１１により、この設定項目、及び、選択されたお気に入り設定と基準設定の設定内容がＲＡＭ１６上に保持される（ステップＳ４６）。
【００９６】
ステップＳ４６の後、又は、ステップＳ４５において比較対象となっている設定項目について、選択されたお気に入り設定と基準設定とが一致する場合には（ステップＳ４５；ＹＥＳ）、制御部１１により、全項目について、選択されたお気に入り設定と基準設定との比較が終了したか否かが判断される（ステップＳ４７）。
【００９７】
選択されたお気に入り設定と基準設定との比較が全項目について終了していない場合には（ステップＳ４７；ＮＯ）、次の設定項目について、選択されたお気に入り設定と基準設定とが比較され（ステップＳ４８）、ステップＳ４５〜ステップＳ４７の処理が繰り返される。
【００９８】
ステップＳ４７において、選択されたお気に入り設定と基準設定との比較が全項目について終了した場合には（ステップＳ４７；ＹＥＳ）、制御部１１により、ＲＡＭ１６上に保持されている選択されたお気に入り設定と基準設定との相違点が、お気に入り設定の編集画面１３６上の相違点表示領域６４に表示される（ステップＳ４９）。相違点表示領域６４は、基準設定表示領域６７と選択されたお気に入り設定表示領域６８とを有する。制御部１１により、基準設定表示領域６７には、基準設定のうち、基準設定と選択されたお気に入り設定とが相違する設定項目のみが表示され、選択されたお気に入り設定表示領域６８には、選択されたお気に入り設定のうち、基準設定と選択されたお気に入り設定とが相違する設定項目のみが表示される。
【００９９】
次に、制御部１１により、ユーザの操作部１２からの操作により、お気に入り設定の編集画面１３６において、ＯＫボタン６５又はキャンセルボタン６６のいずれのボタンがクリックされたかが判断される（ステップＳ５０）。お気に入り設定の編集画面１３６において、ＯＫボタン６５がクリックされた場合には（ステップＳ５０；ＯＫ）、制御部１１により、選択されたお気に入り設定が、ＲＡＭ１６上に現在の設定として設定される（ステップＳ５１）。すなわち、選択されたお気に入り設定が印刷実行時に適用されることになる。
【０１００】
一方、お気に入り設定の編集画面１３６において、キャンセルボタン６６がクリックされた場合には（ステップＳ５０；キャンセル）、選択されたお気に入り設定は適用されずに、そのまま処理が終了する。
【０１０１】
以上説明したように、第２の実施の形態におけるＰＣ１０によれば、操作部１２を介して選択された、印刷実行時に適用すべき印刷設定情報をＨＤＤ１７から取得し、選択されたお気に入り設定と基準設定とを設定項目毎に比較し、選択されたお気に入り設定と基準設定との相違を示す情報を認識可能に表示部１３に表示するので、ＨＤＤ１７に既に記憶されている複数の印刷設定情報から印刷実行時に適用すべき印刷設定情報を選択する際に、基準設定との相違を通知することができる。したがって、ユーザが意図しない設定の変更を防ぐことができる。
【０１０２】
また、選択されたお気に入り設定と基準設定との相違を示す情報として、選択されたお気に入り設定及び基準設定のうち、選択されたお気に入り設定と基準設定とが相違する設定項目のみについて、表示部１３に表示するので、ユーザは、選択されたお気に入り設定と基準設定との相違を認識しやすくなる。
【０１０３】
［第３の実施の形態］
次に、本発明の第３の実施の形態について説明する。
第３の実施の形態における画像形成システムは、第１の実施の形態に示した画像形成システム１００と同様の構成によってなるため、同一の構成部分については同一の符号を付し、その構成については図示及び説明を省略する。以下、第３の実施の形態に特徴的な構成及び処理について説明する。
【０１０４】
第３の実施の形態では、図１１に示す印刷設定画面１３１において、操作部１２のマウスからの操作により、編集ボタン４１がクリックされると、図１９に示すお気に入り設定の編集画面１３７が表示部１３に表示される。図１９に示すように、お気に入り設定の編集画面１３７は、「お気に入り設定一覧」７１、基準設定選択領域７２、設定内容表示領域７３、ＯＫボタン７４、キャンセルボタン７５等を有する。「お気に入り設定一覧」７１は、ＨＤＤ１７に「お気に入り設定」として記憶されている印刷設定情報の名称が表示され、印刷実行時に適用すべきお気に入り設定を選択するための領域である。基準設定選択領域７２は、基準設定として選択可能な印刷設定情報の名称が表示され、基準設定を選択するための領域である。設定内容表示領域７３は、ＨＤＤ１７に記憶されている印刷設定情報のうち、「お気に入り設定一覧」４３において選択されている印刷設定情報の内容が表示される領域である。
【０１０５】
制御部１１は、選択されたお気に入り設定と基準設定との相違を示す情報を認識可能に表示部１３に表示する。具体的には、制御部１１は、選択されたお気に入り設定と基準設定との相違を示す情報として、選択されたお気に入り設定と基準設定とが相違する設定項目を強調して、選択されたお気に入り設定を表示部１３に表示する。ある設定項目を強調して表示する方法としては、例えば、書体の変更、文字の色の変更、文字サイズの変更等が挙げられるが、他と識別可能であれば、どのような方法を用いてもかまわない。
【０１０６】
図２０は、ＰＣ１０において実行される第３の印刷設定処理を示すフローチャートである。この処理は、図１９に示すお気に入り設定の編集画面１３７の「お気に入り設定一覧」７１においてお気に入り設定を変更した場合、又は、基準設定選択領域７２において基準設定を選択し直した場合に実行される処理であって、制御部１１のＣＰＵとＨＤＤ１７に記憶されているプリンタドライバプログラムとの協働によるソフトウェア処理によって実現される。
【０１０７】
まず、図２０に示すように、制御部１１により、図１９に示す「お気に入り設定一覧」７１において選択されている印刷設定情報がＨＤＤ１７の該当するレジストリ（図４参照）から取得される（ステップＳ６１）。
【０１０８】
次に、制御部１１により、図１９に示す基準設定選択領域７２において選択されている印刷設定情報がＨＤＤ１７の該当するレジストリ（図４参照）又はＲＡＭ１６から取得される（ステップＳ６２）。具体的には、制御部１１により、基準設定選択領域７２において「現在の設定」以外の設定が選択されている場合には、ＨＤＤ１７の該当するレジストリから印刷設定情報が取得され、基準設定選択領域７２において「現在の設定」が選択されている場合には、ＲＡＭ１６から現在設定されている印刷設定情報が取得される。
【０１０９】
次に、制御部１１により、一つ目の設定項目について、選択されたお気に入り設定と基準設定とが比較される（ステップＳ６３）。比較対象となっている設定項目について、選択されたお気に入り設定と基準設定とが一致しない場合には（ステップＳ６４；ＮＯ）、制御部１１により、お気に入り設定の編集画面１３７上の設定内容表示領域７３において、該当する設定項目、及び、選択されたお気に入り設定の設定内容が強調されて表示される（ステップＳ６５）。図１９に示す例では、お気に入り設定の編集画面１３７上の設定内容表示領域７３において、設定項目「ページ割付」と、設定値「２in１」とが、斜体で表示されている。すなわち、選択されたお気に入り設定では、基準設定と比較して、「ページ割付」についての設定内容が異なることが示されている。
【０１１０】
一方、比較対象となっている設定項目について、選択されたお気に入り設定と基準設定とが一致する場合には（ステップＳ６４；ＹＥＳ）、制御部１１により、お気に入り設定の編集画面１３７上の設定内容表示領域７３において、該当する設定項目、及び、選択されたお気に入り設定の設定内容が通常どおりに表示される（ステップＳ６６）。
【０１１１】
ステップＳ６５又はステップＳ６６の後、制御部１１により、全項目について、選択されたお気に入り設定と基準設定との比較が終了したか否かが判断される（ステップＳ６７）。
【０１１２】
選択されたお気に入り設定と基準設定との比較が全項目について終了していない場合には（ステップＳ６７；ＮＯ）、次の設定項目について、選択されたお気に入り設定と基準設定とが比較され（ステップＳ６８）、ステップＳ６４〜ステップＳ６７の処理が繰り返される。
【０１１３】
ステップＳ６７において、選択されたお気に入り設定と基準設定との比較が全項目について終了した場合には（ステップＳ６７；ＹＥＳ）、制御部１１により、ユーザの操作部１２からの操作により、お気に入り設定の編集画面１３７において、ＯＫボタン７４又はキャンセルボタン７５のいずれのボタンがクリックされたかが判断される（ステップＳ６９）。お気に入り設定の編集画面１３７において、ＯＫボタン７４がクリックされた場合には（ステップＳ６９；ＯＫ）、制御部１１により、選択されたお気に入り設定が、ＲＡＭ１６上に現在の設定として設定される（ステップＳ７０）。すなわち、選択されたお気に入り設定が印刷実行時に適用されることになる。
【０１１４】
一方、お気に入り設定の編集画面１３７において、キャンセルボタン７５がクリックされた場合には（ステップＳ６９；キャンセル）、選択されたお気に入り設定は適用されずに、そのまま処理が終了する。
【０１１５】
以上説明したように、第３の実施の形態におけるＰＣ１０によれば、操作部１２を介して選択された、印刷実行時に適用すべき印刷設定情報をＨＤＤ１７から取得し、選択されたお気に入り設定と基準設定とを設定項目毎に比較し、選択されたお気に入り設定と基準設定との相違を示す情報を認識可能に表示部１３に表示するので、ＨＤＤ１７に既に記憶されている複数の印刷設定情報から印刷実行時に適用すべき印刷設定情報を選択する際に、基準設定との相違を通知することができる。したがって、ユーザが意図しない設定の変更を防ぐことができる。
【０１１６】
また、選択されたお気に入り設定と基準設定とが相違する設定項目を強調して、選択されたお気に入り設定を表示部１３に表示するので、ユーザは、選択されたお気に入り設定と基準設定との相違を認識しやすくなる。
【０１１７】
なお、上記各実施の形態における記述は、本発明に係る印刷指示装置の例であり、これに限定されるものではない。装置を構成する各部の細部構成及び細部動作に関しても本発明の趣旨を逸脱することのない範囲で適宜変更可能である。
【０１１８】
例えば、上記各実施の形態では、ＰＣ１０のプリンタドライバ上で画像形成装置２０における印刷実行時に適用すべき印刷設定情報を選択し、ＰＣ１０から画像形成装置２０に印刷指示（プリントジョブ）を送信する場合について説明したが、複数の設定項目毎の印刷設定情報を画像形成装置２０の記憶部２９に予め記憶させておき、画像形成装置２０の操作部２２から選択した印刷設定情報と基準の印刷設定情報との相違を示す情報を認識可能に画像形成装置２０の表示部２３に表示することとしてもよい。
【０１１９】
また、第２の実施の形態、第３の実施の形態におけるＰＣ１０においても、第１の実施の形態の変形例２のように、選択されたお気に入り設定と基準設定とが相違する設定項目について、設定項目のヘルプ情報を表示部１３に表示することとしてもよい。
【０１２０】
以上の説明では、各処理を実行するためのプログラムを格納したコンピュータ読み取り可能な媒体としてＲＯＭ又はＨＤＤを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【０１２１】
【図１】本発明の第１の実施の形態における画像形成システムのシステム構成図である。
【図２】ＰＣの機能的構成を示すブロック図である。
【図３】お気に入り設定の名称が保存されているＨＤＤ内のレジストリの例を示す図である。
【図４】お気に入り設定の印刷設定情報が保存されているＨＤＤ内のレジストリの例を示す図である。
【図５】構造体の例を示す図である。
【図６】各設定項目について抽出したデータ例である。
【図７】選択されたお気に入り設定と基準設定との比較方法を説明するための図である。
【図８】画像形成装置の機能的構成を示すブロック図である。
【図９】第１の実施の形態における第１の印刷設定処理を示すフローチャートである。
【図１０】第１の実施の形態における第１の印刷設定処理を示すフローチャートである。
【図１１】印刷設定画面の表示例である。
【図１２】第１の実施の形態におけるお気に入り設定の編集画面の表示例である。
【図１３】第１の実施の形態における相違点表示画面の表示例である。
【図１４】変形例１における印刷設定処理を示すフローチャートである。
【図１５】（ａ）は、変形例２における相違点表示画面の表示例である。（ｂ）は、ヘルプ画面の表示例である。
【図１６】変形例２におけるヘルプ表示処理を示すフローチャートである。
【図１７】第２の実施の形態におけるお気に入り設定の編集画面の表示例である。
【図１８】第２の実施の形態における第２の印刷設定処理を示すフローチャートである。
【図１９】第３の実施の形態におけるお気に入り設定の編集画面の表示例である。
【図２０】第３の実施の形態における第３の印刷設定処理を示すフローチャートである。
【符号の説明】
【０１２２】
１０  ＰＣ
１１  制御部
１２  操作部
１３  表示部
１４  通信部
１５  ＲＯＭ
１６  ＲＡＭ
１７  ＨＤＤ
１８  バス
２０  画像形成装置
２１  制御部
２２  操作部
２３  表示部
２４  画像読取部
２５  通信部
２６  ＲＯＭ
２７  ＲＡＭ
２８  画像形成部
２９  記憶部
３０  バス
４１  編集ボタン
４２  お気に入り選択領域
４３  「お気に入り設定一覧」
４４  基準設定選択領域
４５  設定内容表示領域
４６  ＯＫボタン
４７  基準設定表示領域
４８  選択されたお気に入り設定表示領域
４９  ＯＫボタン
５０  キャンセルボタン
５１，５２，５３，５４，５５，５６  設定項目
６１  「お気に入り設定一覧」
６２  基準設定選択領域
６３  設定内容表示領域
６４  相違点表示領域
６５  ＯＫボタン
６６  キャンセルボタン
６７  基準設定表示領域
６８  選択されたお気に入り設定表示領域
７１  「お気に入り設定一覧」
７２  基準設定選択領域
７３  設定内容表示領域
７４  ＯＫボタン
７５  キャンセルボタン
１００  画像形成システム
１３１  印刷設定画面
１３２  お気に入り設定の編集画面
１３３  相違点表示画面
１３４  相違点表示画面
１３５  ヘルプ画面
１３６  お気に入り設定の編集画面
１３７  お気に入り設定の編集画面
Ｎ  通信ネットワーク
【図１】
2009301159.tif 000003
【図２】
2009301159.tif 000004
【図３】
2009301159.tif 000005
【図４】
2009301159.tif 000006
【図５】
2009301159.tif 000007
【図６】
2009301159.tif 000008
【図７】
2009301159.tif 000009
【図８】
2009301159.tif 000010
【図９】
2009301159.tif 000011
【図１０】
2009301159.tif 000012
【図１１】
2009301159.tif 000013
【図１２】
2009301159.tif 000014
【図１３】
2009301159.tif 000015
【図１４】
2009301159.tif 000016
【図１５】
2009301159.tif 000017
【図１６】
2009301159.tif 000018
【図１７】
2009301159.tif 000019
【図１８】
2009301159.tif 000020
【図１９】
2009301159.tif 000021
【図２０】
2009301159.tif 000022